(57)【要約】【課題】シンバルのカップ部における弱打を高精度に検出することができる電子シンバルを提供する。【解決手段】電子シンバル１００は、演奏者によって叩かれるヘッド１０１を備えている。ヘッド１０１は、芯材となるベース体の外表面が弾性材料からなるパッド１１０で覆われている。パッド１１０は、エッジ部１１１、ボウ部１１２およびカップ部１１３を備えている。カップ部１１３は、ボウ部１１２の最内周部分からパッド１１０の中央部に形成された貫通孔１１４に向かってボウ部よりも急な角度で凸状に盛り上がる傾斜面で構成されている。カップ部１１３の内側面１１３ａには、連結部１１５が形成されている。連結部１１６は、内側面１１３ａから下垂してベース体１０２の裏側面１０２ｄに接触している。また、連結部１１６は、ベース体１０２における叩打センサ１０４の接触位置と平面視で重なる裏側面１０２ｄ上に接触している。【選択図】  図２
2018155995.tif 000002
【特許請求の範囲】
【請求項１】
円板体の中央部に貫通孔を有したベース体と、
弾力のある材料で形成されて前記ベース体における一方の表面を覆って演奏者によって叩打される面を構成するパッドと、
前記ベース体における他方の面側の前記貫通孔に隣接して設けられて前記パッドの叩打を検出する叩打センサとを備え、
前記パッドは、
前記ベース体における前記叩打センサの裏側面に対向する部分が凸状に隆起するとともに同裏側面に対して離隔することにより同裏側面との間に空洞部を形成するカップ部と、
前記カップ部の内側面から下垂して前記裏側面に接する連結部とを有することを特徴とする電子シンバル。
【請求項２】
請求項１に記載した電子シンバルにおいて、
前記連結部は、
断続的または連続的な環状に形成されていることを特徴とする電子シンバル。
【請求項３】
請求項１または請求項２に記載した電子シンバルにおいて、さらに、
前記パッドは、
前記カップ部の内側面から下垂して前記裏側面に対して隙間を介して対向する離隔支柱を有し、
前記離隔支柱は、
前記裏側面に対する前記隙間が前記演奏者による前記パッドの叩打時に前記裏側面に接する隙間量であることを特徴とする電子シンバル。
【請求項４】
請求項３に記載した電子シンバルにおいて、
前記離隔支柱は、
前記連結部よりも厚い厚さに形成されていることを特徴とする電子シンバル。
【請求項５】
請求項３または請求項４に記載した電子シンバルにおいて、
前記離隔支柱は、
前記連結部よりも前記パッドの径方向内側の位置に断続的または連続的な環状に形成されていることを特徴とする電子シンバル。
【請求項６】
請求項１ないし請求項５のうちのいずれか１つに記載した電子シンバルにおいて、
前記連結部は、
前記裏側面に向かって先細りしていることを特徴とする電子シンバル。
【発明の詳細な説明】
【技術分野】
【０００１】
本発明は、電子回路を用いてアコースティックのシンバルまたはハイハットを電子的に実現した電子シンバルに関する。
【背景技術】
【０００２】
従来から、電子回路を用いてアコースティックのシンバルまたはハイハットを電子的に実現した電子シンバルは、金属などの硬質な材料で環状に形成されたベース体の外表面をゴムなどの弾性体で構成されたパッドで覆って構成されている。例えば、下記特許文献１には、シンバルの中央部に凸状に隆起したカップ部を含めてカバーとフレームとが互いに密着した構成の電子ハイハットシンバルが開示されている。また、下記特許文献２には、前記カップ部におけるカバーとフレームとが互いに離隔して中空部が形成された電子シンバルが開示されている。これらの場合、電子ハイハットシンバルおよび電子シンバルにおける各フレームには、カバーに対する叩打を検出するための圧電センサがそれぞれ設けられている。
【先行技術文献】
【特許文献】
【０００３】
【特許文献１】特開２００２−１９６７５３号公報
【特許文献２】特開２００２−０６２８７２号公報
【０００４】
しかしながら、上記特許文献１に記載された電子ハイハットシンバルにおいては、シンバルにおけるカップ部における肉厚が上部シンバルにおけるカップ部より外側のボウ部およびエッジ部よりも厚く形成されているため、このカップ部に対する弱い叩打（以下、「弱打」ということがある）が検出し難く検出精度が低いという問題がある。また、上記特許文献２に記載された電子シンバルにおいては、カップ部の下方に中空部が形成されているため、このカップ部に対する弱打が検出し難く検出精度が低いという問題があった。
【０００５】
本発明は上記問題に対処するためなされたもので、その目的は、シンバルのカップ部における弱打を高精度に検出することができる電子シンバルを提供することにある。
【発明の概要】
【０００６】
上記目的を達成するため、本発明の特徴は、円板体の中央部に貫通孔を有したベース体と、弾力のある材料で形成されてベース体における一方の表面を覆って演奏者によって叩打される面を構成するパッドと、ベース体における他方の面側の貫通孔に隣接して設けられてパッドの叩打を検出する叩打センサとを備え、パッドは、ベース体における叩打センサの裏側面に対向する部分が凸状に隆起するとともに同裏側面に対して離隔することにより同裏側面との間に空洞部を形成するカップ部と、カップ部の内側面から下垂して裏側面に接する連結部とを有することにある。
【０００７】
このように構成した本発明の特徴によれば、電子シンバルは、カップ部が空洞部を形成しつつベース体に接触した連結部を備えているため、肉厚が厚いことによる振動の減衰および空洞部による振動の減衰をそれぞれ抑制しつつパッドに対する弱打を叩打センサに効果的に導くことができる。
【０００８】
また、本発明の他の特徴は、前記電子シンバルにおいて、連結部は、断続的または連続的な環状に形成されていることにある。
【０００９】
このように構成した本発明の他の特徴によれば、電子シンバルは、連結部が断続的または連続的な環状に形成されているため、カップ部の周方向における叩打位置に拘らず叩打による振動を精度良くベース体に伝達することができる。
【００１０】
また、本発明の他の特徴は、前記電子シンバルにおいて、さらに、パッドは、カップ部の内側面から下垂して裏側面に対して隙間を介して対向する離隔支柱を有し、離隔支柱は、裏側面に対する前記隙間が演奏者によるパッドの叩打時に前裏側面に接する隙間量であることにある。
【００１１】
このように構成した本発明の他の特徴によれば、電子シンバルは、さらに、パッドにカップ部の内側面から下垂して裏側面に対して隙間を介して対向する離隔支柱している。この場合、離隔支柱におけるベース体に対する隙間は、演奏者によるカップ部の叩打時にベース体に接する隙間量であり、具体的には、０.２ｍｍ以上かつ２ｍｍ以下の範囲が好適である。これにより、電子シンバルは、パッドにおけるカップ部に適度な剛性を与えることできる。具体的には、電子シンバルは、カップ部の弱打時においてはベース体に対して非接触の離隔支柱による剛性の向上または離隔支柱のベース体への接触による剛性の向上を得られるとともに、カップ部の弱打以上の強打時においては離隔支柱のベース体への密着による剛性の向上が得られる。これらにより、電子シンバルは、演奏者に対してアコースティックシンバルに近い叩打感を与えることができる。
【００１２】
また、本発明の他の特徴は、前記電子シンバルにおいて、離隔支柱は、連結部よりも厚い厚さに形成されていることにある。
【００１３】
このように構成した本発明の他の特徴によれば、電子シンバルは、離隔支柱が連結部よりも厚い厚さに形成されているため、カップ部の強打時に連結部が押し潰されて破損することを防止することができる。
【００１４】
また、本発明の他の特徴は、前記電子シンバルにおいて、離隔支柱は、連結部よりもパッドの径方向内側の位置に断続的または連続的な環状に形成されていることにある。
【００１５】
このように構成した本発明の他の特徴によれば、電子シンバルは、離隔支柱が連結部よりもパッドの径方向内側の位置に断続的または連続的な環状に形成されているため、連結部の上下方向の長さを離隔支柱よりも短く形成してカップ部の弱打を効率的にベース体に伝達できるとともにカップ部における周方向の叩打位置に拘らず連結部の押し潰しによる破損を防止することができる。
【００１６】
また、本発明の他の特徴は、前記電子シンバルにおいて、連結部は、裏側面に向かって先細りしていることにある。
【００１７】
このように構成した本発明の他の特徴によれば、電子シンバルは、連結部がベース体における裏側面に向かって先細りした形状に形成されているため、カップ部からの振動を広範囲から受けることができるとともにこの振動をベース体に伝達する過程で減衰することを抑えることができ、弱打による振動をより効率的に叩打センサに導くことができる。また、電子シンバルは、カップ部の強打時においては先端部側がより変形し易ため、ベース体との接触面積が増加して大きな振動が局所的に集中して叩打センサが過剰に反応するまたは損傷することを抑制することができる。
【図面の簡単な説明】
【００１８】
【図１】本発明の一実施形態に係る電子シンバルの主要部の外観構成の概略を示す斜視図である。
【図２】、図１に示す電子シンバルの内部構成の概略を示す拡大断面図である。
【図３】本発明の変形例に係る電子シンバルの主要部の内部構成の概略を示す拡大断面図である。
【図４】図３に示す電子シンバルのカップ部を叩打した状態を示す拡大断面図である。
【図５】本発明の他の変形例に係る電子シンバルの主要部の内部構成の概略を示す拡大断面図である。
【発明を実施するための形態】
【００１９】
以下、本発明に係る電子シンバルの一実施形態について図面を参照しながら説明する。図１は、本発明に係る電子シンバル１００の主要部の外観構成の概略を示した斜視図である。また、図２は、図１に示す電子シンバル１００の内部構成の概略を示す拡大断面図である。なお、本明細書において参照する図は、本発明の理解を容易にするために一部の構成要素を誇張して表わすなど模式的に表している。このため、各構成要素間の寸法や比率などは異なっていることがある。この電子シンバル１００は、演奏者（図示せず）がスティック（図示せず）を介して叩いた打面の衝撃を検出して電子的な楽音を発生させる電子打楽器である。
【００２０】
（電子シンバル１００の構成）
電子シンバル１００は、ヘッド１０１を備えている。ヘッド１０１は、演奏者による叩く操作によって振動する部品であり、上方に向かって凸状に湾曲するとともに平面視で円形の板状体で構成されている。このヘッド１０１は、主として、ベース体１０２、叩打センサ１０４、パッド１１０および下面カバー１２０をそれぞれ備えている。
【００２１】
ベース体１０２は、ヘッド１０１を形作る芯材となる部品であり、金属材または樹脂材を上方に向かって凸状に湾曲するとともに平面視で円環状の板状体に形成して構成されている。このベース体１０２は、中央部に取付孔１０２ａが形成されている。取付孔１０２ａは、この電子シンバル１００を所定の高さ位置に支持するための棒状のスタンド９０が貫通する部分である。この取付孔１０２ａの図示上側の端面には、保持プレート１０３が設けられている。
【００２２】
保持プレート１０３は、ベース体１０２をスタンド９０に取り付けるための部品であり、ゴム材を平面視で円形のリング状に形成して構成されている。ここで、スタンド９０は、ヘッド１０１を床面上から所定の高さに保持するために柱状に延びる金属製の器具である。なお、図１および図２においては、スタンド９０の下部部分を省略して示している。
【００２３】
この保持プレート１０３は、ベース体１０２の下面１０２ｂ側から挿入される取付ボルトによってベース体１０２に固定的に取り付けられている。そして、保持プレート１０３は、前記スタンド９０が貫通した２つの押圧具９１ａ，９１ｂで挟まれることによってスタンド９０に保持される。ここで、２つの押圧具９１ａ，９１ｂは、それぞれフェルト材を筒状に形成して構成されている。また、これらの２つの押圧具９１ａ，９１ｂは、スタンド９０が貫通する円筒体でフランジ部が形成された下部支持筒９２とスタンド９０の上端部にネジ嵌合するナット９３とで挟まれた状態で支持される。なお、図２においては、スタンド９０、押圧具９１ａ，９１ｂおよびスタンド９０に付随する他の部品を二点鎖線でそれぞれ示している。
【００２４】
ベース体１０２の下面１０２ｂには、取付孔１０２ａの周囲に凹状に凹んだ取付部１０２ｃが形成されており、この取付部１０２ｃに３つの叩打センサ１０４（１つのみ図示）がそれぞれ設けられている。３つの叩打センサ１０４は、ヘッド１０１の叩打による振動を検出する検出器であり、ベース体１０２の振動に応じた電気信号からなる検出信号を図示しない信号処理装置に出力する。
【００２５】
本実施形態においては、各叩打センサ１０４は、圧電セラミックスの両面にそれぞれ電極を配置するとともに、これらの電極の一方に金属板を配置したピエゾ素子によって構成されている。そして、これら３つの叩打センサ１０４は、図示しない電気配線を介して出力端子１２１に接続されており、この出力端子１２１を介して信号処理装置に電気的に接続される。
【００２６】
ここで、信号処理装置は、電子シンバル１００とは別体で設けられるマイクロコンピュータを備えて構成されており、３つの叩打センサ１０４から出力される検出信号に基づいて楽音信号を出力する電子回路、すなわち、音源である。この信号処理装置には、図示しない外部スピーカが接続されている。
【００２７】
これら３つの叩打センサ１０４は、取付部１０２ｃに取付孔１０２ａを中心として周方向に均等配置されて両面粘着テープ１０５によってそれぞれ取り付けられている。この場合、両面粘着テープ１０５は、各叩打センサ１０４の外径よりも小さい外径で形成されている。これにより、３つの叩打センサ１０４は、平面視で円板状の電極の外縁部が取付部１０２ｃの表面から離隔した状態で取付部１０２ｃに取り付けられている。
【００２８】
パッド１１０は、演奏者がスティックなどを用いて叩く打面を構成する部分であり、ゴム材または発泡樹脂材などからなる弾性体をベース体１０２の上面および外縁部をそれぞれ覆う円環状に形成して構成されている。より具体的には、パッド１１０は、主として、エッジ部１１１、ボウ部１１２およびカップ部１１３を備えて構成されている。
【００２９】
エッジ部１１１は、ベース体１０２の縁部を覆うであり、ベース体１０２の上面の外縁部から下面１０２ｂの外縁部を巻き込むように形成されている。ボウ部１１２は、エッジ部１１１からカップ部１１３に向かって緩やかに上る傾斜面で構成されている。このボウ部１１２の内側面は、ベース体１０２の上面に密着している。
【００３０】
カップ部１１３は、ボウ部１１２の最内周部分からパッド１１０の中央部に形成された貫通孔１１４に向かってボウ部よりも急な角度で凸状に盛り上がる傾斜面で構成されている。より具体的には、カップ部１１３は、ベース体１０２に設けられた叩打センサ１０４の上方に重なるように形成されている。この場合、カップ部１１３は、ベース体１０２における叩打センサ１０４が設けられた取付部１０２ｃの裏側面１０２ｄに対向する内側面１１３ａも裏側面１０２ｄに離隔するように傾斜面で構成されている。これにより、カップ部１１３とベース体１０２との間には、取付孔１０２ａおよび貫通孔１１４の各外側に環状の空間である空洞部１１５が形成される。
【００３１】
また、カップ部１１３の肉厚は、ボウ部１１２の肉厚と同じまたは同肉厚以上の肉厚で形成されている。本実施形態においては、カップ部１１３の肉厚は、ボウ部１１２の肉厚より厚い肉厚で形成されている。そして、このカップ部１１３の内側面１１３ａには、連結部１１６が形成されている。
【００３２】
連結部１１６は、カップ部１１３への叩打による振動をベース体１０２に伝達させるための部分であり、カップ部１１３の内側面１１３ａから下垂してベース体１０２の裏側面１０２ｄに接触している。より具体的には、連結部１１６は、カップ部１１３の内側面１１３ａからベース体１０２の裏側面１０２ｄに連続的な環状に張り出すとともに、裏側面１０２ｄに接触する先端部（図示下端部）が先細りする形状でカップ部１１３と一体的に形成されている。この場合、連結部１１６は、ベース体１０２における叩打センサ１０４の接触位置と平面視で重なる裏側面１０２ｄ上に接触させるよい。
【００３３】
なお、ヘッド１０１は、本実施形態においては、ベース体１０２およびパッド１１０の２種の材料で構成されているが、１種の材料、例えば、樹脂材料のみまたは樹脂材料を含む繊維強化プラスチックのみで構成することもできる。
【００３４】
下面カバー１２０は、ベース体１０２の下面１０２ｂに取り付けられて取付部１０２ｃおよびこの取付部１０２ｃに取り付けられた叩打センサ１０４をそれぞれ覆うとともに出力端子１２１を収納する部品であり、樹脂材を平面視で円筒状に形成して構成されている。この場合、下面カバー１２０は、出力端子１２１を外部に露出させた状態で収納している。この下面カバー１２０は、図示しない取付ボルトによってベース体１０２の下面１０２ｂに取り付けられている。
【００３５】
出力端子１２１は、叩打センサ１０４からそれぞれ出力される検出信号を電子シンバル１００の外部に設けられる信号処理装置に対して出力するために信号処理装置と叩打センサ１０４とを図示しない信号ケーブルを介して着脱自在に接続するためのジャック型のインターフェースである。
【００３６】
（電子シンバル１００の作動）
次に、このように構成した電子シンバル１００の作動について説明する。まず、演奏者は、電子シンバル１００をスタンド９０に組み付けた後、出力端子１２１と信号処理装置とを図示しない信号ケーブルを介して電気的に接続して電子シンバル１００を演奏可能な状態とする。
【００３７】
次に、演奏者は、電子シンバル１００を演奏する。具体的には、演奏者は、スティックを用いてヘッド１０１の上面を叩く。この場合、ヘッド１０１は、パッド１１０におけるエッジ部１１１およびボウ部１１２が叩打された場合には、パッド１１０に生じた振動は主としてパッド１１０に密着するベース体１０２に直接伝達されて叩打センサ１０４によって検出される。一方、ヘッド１０１は、パッド１１０におけるカップ部１１３が叩打された場合には、パッド１１０に生じた振動は主として連結部１１６を介して密着するベース体１０２に伝達されて叩打センサ１０４によって検出される。
【００３８】
これらにより、各叩打センサ１０４は、パッド１１０およびベース体１０２をそれぞれ介して伝搬した振動に応じた検出信号を出力端子１２１を介して信号処理装置に出力する。これにより、信号処理装置は、各叩打センサ１０４から入力した総和信号からなる検出信号に基づいて楽音を表す楽音信号を生成して外部スピーカに出力する。この結果、電子シンバル１００は、演奏者の演奏操作に応じた楽音を外部スピーカから出力することができる。
【００３９】
そして、演奏者は、電子シンバル１００の演奏を終える場合には、電子シンバル１００と信号処理装置との電気的な接続を外した後、電子シンバル１００をスタンド９０から取り外す。これにより、演奏者は、電子シンバル１００の演奏を終了することができる。
【００４０】
上記作動説明からも理解できるように、上記実施形態によれば、電子シンバル１００は、カップ部１１３が空洞部１１５を形成しつつベース体１０２に接触した連結部１１６を備えているため、カップ部１１３の肉厚が厚いことによる振動の減衰および空洞部１１５による振動の減衰をそれぞれ抑制しつつパッド１１０に対する弱打を叩打センサ１０４に効果的に導くことができる。
【００４１】
さらに、本発明の実施にあたっては、上記各実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４２】
例えば、上記各実施形態においては、連結部１１６は、カップ部１１３の内側面１１３ａから下垂する連続的な環状に形成した。しかし、連結部１１６は、カップ部１１３の内側面１１３ａから下垂してベース体１０２の裏側面１０２ｄに接触するように構成されていればよい。したがって、連結部１１６は、カップ部１１３の内側面１１３ａから下垂する断続的な環状に形成されてもよいし、同内側面１１３ａの一部に片状に下垂して形成されてもよい。また、連結部１１６は、カップ部１１３の内側面１１３ａに径方向に沿って複数設けることもできる。
【００４３】
また、上記実施形態においては、連結部１１６は、カップ部１１３の内側面１１３ａ側からベース体１０２の裏側面１０２ｄに向かって先端部が先細りする形状に形成した。これにより、連結部１１６は、カップ部１１３からの振動を広範囲から回収することができるとともにこの振動をベース体１０２に伝達する過程で減衰することを抑えることができ、弱打による振動をより効率的に叩打センサ１０４に導くことができる。また、電子シンバル１００は、カップ部１１３の強打時においては先端部側がより変形し易ため、ベース体１０２との接触面積が増加して大きな振動が局所的に集中して叩打センサ１０４が過剰に反応するまたは損傷することを抑制することができる。しかし、連結部１１６は、カップ部１１３の内側面１１３ａ側からベース体１０２の裏側面１０２ｄに向かって肉厚を一定に形成してもよいし、カップ部１１３の内側面１１３ａ側からベース体１０２の裏側面１０２ｄに向かって肉厚を厚くするように形成することもできる。
【００４４】
また、上記実施形態においては、連結部１１６は、カップ部１１３、すなわち、パッド１１０と同一材料で一体成形で構成した。しかし、連結部１１６は、カップ部１１３と同一または別材料を用いて別体で構成してもよい。
【００４５】
また、上記実施形態においては、連結部１１６は、ベース体１０２における叩打センサ１０４の取付位置（接触位置）の略中心位置上の裏側面１０２ｄ上に接触するように構成した。しかし、連結部１１６は、ベース体１０２における叩打センサ１０４の取付位置と平面視で重なる裏側面１０２ｄ上に接触するようにするとよいが、厳密に前記取付位置上に接触するように設ける必要はなく、前記取付位置の周囲であってもよい。
【００４６】
また、上記実施形態においては、連結部１１６は、ベース体１０２の裏側面１０２ｄに接触するように構成した。しかし、連結部１１６は、ベース体１０２の裏側面１０２ｄ上に設けた叩打センサ１０４に対して直接または弾性体などを介して間接的に接触するように構成することもできる。
【００４７】
また、上記実施形態においては、カップ部１１３は、内側面１１３ａに環状の連結部１１６のみを設けて構成した。しかし、カップ部１１３は、図３に示すように、連結部１１６に加えて、内側面１１３ａから下垂して裏側面１０２ｄに対して隙間Ｓを介して対向する離隔支柱１３０を設けることができる。
【００４８】
この場合、離隔支柱１３０は、連結部１１６のパッド１１０の径方向内側の位置に連続的な環状に形成することができる。また、離隔支柱１３０の下端部におけるベース体１０２に対する隙間Ｓは、演奏者によるカップ部１１３の叩打時にベース体１０２に接する隙間量であり、具体的には、０.２ｍｍ以上かつ２ｍｍ以下の範囲が好適である。
【００４９】
これにより、電子シンバル１００は、パッド１１０におけるカップ部１１３に適度な剛性を与えることできる。具体的には、電子シンバル１００は、図４に示すように、スティックＢを用いたカップ部１１３の弱打時においてはベース体１０２に対して非接触の離隔支柱１３０による剛性の向上または離隔支柱１３０のベース体１０２への接触による剛性の向上を得られるとともに、カップ部１１３の弱打以上の強打時においては離隔支柱１３０のベース体１０２への密着による剛性の向上が得られる。これらにより、電子シンバル１００は、演奏者に対してアコースティックシンバルに近い叩打感を与えることができる。また、離隔支柱１３０は、連結部１１６よりも厚い厚さで形成することにより、カップ部１１３の強打時に連結部１１６が押し潰されて破損することを防止することができる。
【００５０】
また、この場合、電子シンバル１００は、図５に示すように、裏側面１０２ｄ上における前記離隔支柱１３０に対向する位置に少なくとも１つの叩打センサ１３１を設けることもできる。この場合、叩打センサ１３１は、離隔支柱１３０の周方向に沿って均等に２つ、３つ、４つまたはそれ以上設けることができる。この叩打センサ１３１は、離隔支柱１３０が接触することによる圧力および同接触により伝達される振動に応じた検出信号を出力端子１２１を介して信号処理装置に出力する。
【００５１】
このため、叩打センサ１３１は、カップ部１１３が叩打されると離隔支柱１３０が接触するため、接触時の圧力および振動に応じた検出信号を信号処理装置に出力する。これにより、信号処理装置は、叩打センサ１３１から出力された検出信号を用いてパッド１１０におけるカップ部１１３が叩打されたことを検出することができ、カップ部１１３が叩打された際の楽音信号を生成することができる。また、信号処理装置は、複数の叩打センサ１３１ごとの各検出信号をそれぞれ入力することでカップ部１１３における叩打位置を特定することができ、この叩打位置に応じた楽音を生成することもできる。
【００５２】
なお、離隔支柱１３０は、連結部１１６と同じ厚さまたは連結部１１６よりも薄い厚さに形成することもできる。また、離隔支柱１３０は、パッド１１０の径方向に複数設けることもできる。また、離隔支柱１３０は、連結部１１６よりもパッド１１０の径方向外側に設けることもできる。また、離隔支柱１３０は、カップ部１１３の内側面１１３ａ側からベース体１０２の裏側面１０２ｄに向かって先端部が先細りする形状、厚さが一定の形状または裏側面１０２ｄに向かって先端部が厚くなる形状にそれぞれ形成することができる。また、離隔支柱１３０は、カップ部１１３の内側面１１３ａから下垂する断続的な環状に形成されてもよいし、同内側面１１３ａの一部に片状に下垂して形成されてもよい。
【００５３】
また、上記実施形態においては、信号処理装置を音源とした。しかし、信号処理装置は、各叩打センサからそれぞれ出力される検出信号を用いて楽音を発生させるために必要な処理を行う各種機器で構成することができる。したがって、信号処理装置は、例えば、３つの叩打センサ１０４からそれぞれ出力される検出信号をデジタル信号に変換するＡ／Ｄ変換器またはＭＩＤＩ信号を生成するＭＩＤＩ変換器などで構成することもきる。なお、叩打センサ１０４の数も少なくとも１つあればよく、上記実施形態に限定されるものではない。
【００５４】
また、上記実施形態においては、電子シンバル１００は、スタンド９０に１つのシンバルが設けられた構成されている。しかし、電子シンバル１００は、スタンド９０に上下２つのシンバルまたは上側のシンバルの下に上側のシンバルの下降を受け止める部品を備えた電子ハイハットで構成することもできる。
【符号の説明】
【００５５】
Ｓ…離隔支柱とベース体（または叩打センサ）との隙間、Ｂ…スティック、
９０…スタンド、９１ａ，９１ｂ…押圧具、９２…下部支持筒、９３…ナット、
１００…電子シンバル、１０１…ヘッド、１０２…ベース体、１０２ａ…取付孔、１０２ｂ…下面、１０２ｃ…取付部、１０２ｄ…裏側面、１０３…保持プレート、１０４…叩打センサ、１０５…両面テープ、
１１０…パッド、１１１…エッジ部、１１２…ボウ部、１１３…カップ部、１１３ａ…内側面、１１４…貫通孔、１１５…空洞部、１１６…連結部、
１２０…下面カバー、１２１…出力端子、
１３０…離隔支柱、１３１…叩打センサ。
【図１】
2018155995.tif 000003
【図２】
2018155995.tif 000004
【図３】
2018155995.tif 000005
【図４】
2018155995.tif 000006
【図５】
2018155995.tif 000007
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
円板体の中央部に貫通孔を有したベース体と、
弾力のある材料で形成されて前記ベース体における一方の表面を覆って演奏者によって叩打される面を構成するパッドと、
前記ベース体における他方の面側の前記貫通孔に隣接して設けられて前記パッドの叩打を検出する叩打センサとを備え、
前記パッドは、
前記ベース体における前記叩打センサの裏側面に対向する部分が凸状に隆起するとともに同裏側面に対して離隔することにより同裏側面との間に空洞部を形成するカップ部と、
前記カップ部の内側面から下垂して前記裏側面に接する連結部と、
前記カップ部の内側面から下垂して前記裏側面に対して隙間を介して対向する離隔支柱とを有し、
前記離隔支柱は、
前記裏側面に対する前記隙間が前記演奏者による前記パッドの叩打時に前記裏側面に接する隙間量であることを特徴とする電子シンバル。
【請求項２】
請求項１に記載した電子シンバルにおいて、
前記連結部は、
断続的または連続的な環状に形成されていることを特徴とする電子シンバル。
【請求項３】
請求項１または請求項２に記載した電子シンバルにおいて、
前記離隔支柱は、
前記連結部よりも厚い厚さに形成されていることを特徴とする電子シンバル。
【請求項４】
請求項１ないし請求項３のうちのいずれか１つに記載した電子シンバルにおいて、
前記離隔支柱は、
前記連結部よりも前記パッドの径方向内側の位置に断続的または連続的な環状に形成されていることを特徴とする電子シンバル。
【請求項５】
請求項１ないし請求項４のうちのいずれか１つに記載した電子シンバルにおいて、
前記連結部は、
前記裏側面に向かって先細りしていることを特徴とする電子シンバル。
【手続補正２】
【補正対象書類名】明細書
【補正対象項目名】０００６
【補正方法】変更
【補正の内容】
【０００６】
上記目的を達成するため、本発明の特徴は、円板体の中央部に貫通孔を有したベース体と、弾力のある材料で形成されてベース体における一方の表面を覆って演奏者によって叩打される面を構成するパッドと、ベース体における他方の面側の貫通孔に隣接して設けられてパッドの叩打を検出する叩打センサとを備え、パッドは、ベース体における叩打センサの裏側面に対向する部分が凸状に隆起するとともに同裏側面に対して離隔することにより同裏側面との間に空洞部を形成するカップ部と、カップ部の内側面から下垂して裏側面に接する連結部と、カップ部の内側面から下垂して裏側面に対して隙間を介して対向する離隔支柱とを有し、離隔支柱は、裏側面に対する前記隙間が演奏者による前記パッドの叩打時に裏側面に接する隙間量であることにある。
【手続補正３】
【補正対象書類名】明細書
【補正対象項目名】０００８
【補正方法】変更
【補正の内容】
【０００８】
また、このように構成した本発明の特徴によれば、電子シンバルは、さらに、パッドにカップ部の内側面から下垂して裏側面に対して隙間を介して対向する離隔支柱している。この場合、離隔支柱におけるベース体に対する隙間は、演奏者によるカップ部の叩打時にベース体に接する隙間量であり、具体的には、０.２ｍｍ以上かつ２ｍｍ以下の範囲が好適である。これにより、電子シンバルは、パッドにおけるカップ部に適度な剛性を与えることできる。具体的には、電子シンバルは、カップ部の弱打時においてはベース体に対して非接触の離隔支柱による剛性の向上または離隔支柱のベース体への接触による剛性の向上を得られるとともに、カップ部の弱打以上の強打時においては離隔支柱のベース体への密着による剛性の向上が得られる。これらにより、電子シンバルは、演奏者に対してアコースティックシンバルに近い叩打感を与えることができる。
【手続補正４】
【補正対象書類名】明細書
【補正対象項目名】０００９
【補正方法】変更
【補正の内容】
【０００９】
また、本発明の他の特徴は、前記電子シンバルにおいて、連結部は、断続的または連続的な環状に形成されていることにある。
【手続補正５】
【補正対象書類名】明細書
【補正対象項目名】００１０
【補正方法】変更
【補正の内容】
【００１０】
このように構成した本発明の他の特徴によれば、電子シンバルは、連結部が断続的または連続的な環状に形成されているため、カップ部の周方向における叩打位置に拘らず叩打による振動を精度良くベース体に伝達することができる。
【手続補正６】
【補正対象書類名】明細書
【補正対象項目名】００１１
【補正方法】変更
【補正の内容】
【００１１】
削  除